(57)【特許請求の範囲】
【請求項１】
２重機能カードであって、
スマートカードに適合する装置であるセルラ電話と通信するよう構成されたプロセッサ、
前記プロセッサに結合されメモリカードの情報および加入者識別情報を含むスマートカードの情報を記憶するメモリ、
スマートカードに適合する装置である前記セルラ電話に結合するよう構成されかつ前記プロセッサに結合された第１のポート、そして
前記メモリに結合されかつ前記メモリカードに適合する装置に接続するよう構成された第２のポート、
を具備し、前記プロセッサは前記第１のポートを介して前記セルラ電話に前記加入者識別情報を提供し、前記第１のポートを使用して提供された前記加入者識別情報を使用して前記セルラ電話によってセルラ電話通信のために前記メモリカードの情報を使用でき、また前記メモリカードの情報をメモリカードに適合する装置によって使用するために前記第２のポートから直接アクセス可能にしたことを特徴とする２重機能カード。
【請求項２】
前記メモリは第１のメモリおよび第２のメモリを含み、前記第１のメモリは第１の信号バスを介して前記プロセッサに結合され、かつ前記第２のメモリは第２の信号バスを介して前記第２のポートに結合されていることを特徴とする請求項１に記載の２重機能カード。
【請求項３】
前記第１のメモリは電気的にプログラム可能なリードオンリメモリを含むことを特徴とする請求項２に記載の２重機能カード。
【請求項４】
請求項１に記載の２重機能カードと組合せて使用するセルラ電話であって、該セルラ電話は前記第１のポートに接続するためのポートおよび前記プロセッサを介して前記メモリと通信するための前記セルラ電話内の回路を含むことを特徴とするセルラ電話。
【請求項５】
スマートメモリカードであって、
本体部、
該本体部内に配置されたプロセッサおよび少なくとも加入者識別情報を含むスマートカードの情報を記憶するメモリを備えたスマートカード対応構成要素、そして
前記本体部内に配置され、前記スマートカード対応構成要素に結合され、メモリカード情報を提供するメモリカード対応構成要素、
を具備し、前記スマートカード対応構成要素からセルラ電話に前記加入者識別情報を提供し、提供された前記加入者識別情報を使用して前記セルラ電話が有料呼を生成するために、前記スマートカード対応構成要素から前記メモリカード対応構成要素にアクセスすることにより前記メモリカード情報を利用可能であることを特徴とするスマートメモリカード。
【請求項６】
前記スマートカード対応構成要素のメモリは電子的にプログラム可能なリードオンリメモリを含むことを特徴とする請求項５に記載のスマートメモリカード。
【請求項７】
前記プロセッサは前記メモリカード対応構成要素に結合されていることを特徴とする請求項５に記載のスマートメモリカード。
【発明の詳細な説明】
【０００１】
【発明の属する技術分野】
本発明はカードに関し、かつより特定的には携帯用情報カードに関する。
【０００２】
【従来の技術】
情報を運ぶために種々の電子カードが使用されている。例えば、スマートカード（ｓｍａｒｔｃａｒｄｓ）１００（図１）はセルラ電話とともに使用されて加入者識別情報をセルラ電話に提供する。スマートカードはマイクロプロセッサ１０２および電子的に消去可能なプログラム可能リードオンリメモリ（ＥＥＰＲＯＭ）１０４を含む。マイクロプロセッサは通信バス１０８を通してポート１０６と、かつデータバス１１０を介してメモリ１０４と通信する。ＥＥＰＲＯＭは、口座識別データ（ａｃｃｏｕｎｔ  ｉｄｅｎｔｉｆｉｃａｔｉｏｎ）のような、スマートカードがセルラ電話に挿入されたときに該セルラ電話に通信される情報を記憶する。他のスマートカード装置２００が図２に示されている。このスマートカードはＥＥＰＲＯＭ２０４およびポート２０６に結合された第１のマイクロプロセッサ２０２を含む。マイクロプロセッサ２０２はバス２０８を介してポート２０６にかつデータバス２１０を介してＥＥＰＲＯＭ２０４に接続されている。第２のマイクロプロセッサ２１２がＥＥＰＲＯＭ２１４およびポート２１６に結合されている。該マイクロプロセッサ２１２およびＥＥＰＲＯＭ２１４はデータバス２２０によって接続されている。マイクロプロセッサ２１２はバス２１８を介してポート２１６に接続されている。ＥＥＰＲＯＭ２０４および２１４は異なる口座に対するそれぞれの情報を格納する。従って、一方のＥＥＰＲＯＭは所持者の個人口座に関連させることができ、かつ他方のＥＥＰＲＯＭは所持者のビジネスアカウントに関連させることができる。
【０００３】
メモリカード３００（図３）はデータバス３０６によって接続されたポート３０２およびメモリ３０４を含む。該メモリはメモリカード３００がメモリカードと適合する装置すなわちメモリカードが使用できる装置に結合されたとき貸方に記入される（ｃｒｅｄｉｔｅｄ）かまたは借方に記入される（ｄｅｂｉｔｅｄ）口座の差引勘定または勘定残高を記憶する。例えば、このメモリカードは電話、バンキング、映画、および大量輸送のための交通機関を使用する場合に支払うために使用される。
【０００４】
【発明が解決しようとする課題】
スマートカード１００，２００およびメモリカード３００は異なる通信信号フォーマットを使用するため、かつ異なる情報を記憶するため、これらのカードは相互交換可能に使用できない。例えば、メモリカード３００は同期通信を使用し、一方スマートカード１００および２００は非同期通信を使用する。
従って、より融通のきく装置および情報カードの必要性が存在する。
【０００５】
【課題を解決するための手段】
ここではスマートメモリカード（ｓｍａｒｔ  ｍｅｍｏｒｙ  ｃａｒｄ）とも称される、２重機能カードすなわちデュアルカード（ｄｕａｌ  ｃａｒｄ）はスマートカードと適合する装置およびメモリカードと適合する装置と通信する。スマートメモリカードはスマートカード機能を行うプロセッサおよびメモリカードと適合する装置性能を可能にするメモリ装置接続を含む。スマートメモリカードはそれによってユーザがメモリカードおよびスマートカードの双方として使用できる単一のカードを持つことができるようにする点で有利である。メモリカードの口座の差引勘定はセルラ電話を介して更新することができ、それによってユーザが口座の差引勘定または残高を増大するためにクレジットマシンを見つける必要をなくする。スマートメモリカードは伝統的なメモリカードよりも多くのメモリ容量を有する。これはより更新可能な特徴をカードにロードすることができるようにし、かつ電話における電話の特徴的機能を更新可能にする。
【０００６】
【発明の実施の形態】
スマートメモリカード４００（図４）はプロセッサ４０２およびＥＥＰＲＯＭ４０４を有するスマートカード装置４０７を含む。該プロセッサは、商業的に入手可能なマイクロプロセッサのような、任意の適切な装置を使用して構成できる。該プロセッサおよびＥＥＰＲＯＭはデータバス４０６によって接続される。プロセッサ４０２はデータバス４１０を介してポート４０８に接続されている。ポート４０８は、セルラ電話のような、スマートカードに適合する装置への接続のためのものである。プロセッサ４０２、ＥＥＰＲＯＭ４０４、データバス４０６、ポート４０８、およびデータバス４１０はスマートカードの構成要素をなしている。ＥＥＰＲＯＭはメモリである。スマートメモリカードのメモリ装置４１１はバス４１６を介してポート４１４に結合されたメモリ４１２を具備する。ポート４１４はメモリカードに適合する装置への接続のためのものである。メモリ４１２、ポート４１４、およびバス４１６はメモリカードを構成する。メモリ４１２はまたデータバス４１８を介してプロセッサ４０２に接続されている。このバスはメモリカードがポート４０８に接続されたスマートカードと適合する装置にとって利用可能となるようにする。スマートメモリカードの構成要素はスマートカードのための実質的に堅い本体を提供する絶縁材料４２０内に埋め込まれている。
【０００７】
スマートメモリカード４００のセルラ電話５００への接続が図５に示されている。セルラ電話はスマートメモリカード４００の受入れのためのリセプタクル５０２を含む。該リセプタクル５０２に関連するポート５０４はそれがポート４０８に接触するようにセルラ電話内に配置されている。ポート４０８はスマートカードポートの標準的な装着位置においてスマートメモリカード４００上に配置されている。従って、伝統的なスマートカードおよび本スマートメモリカードはともにセルラ電話５００において使用できる。ポート５０４はバス５０８を介してプロセッサ５０６に接続されている。該プロセッサはセルラ電話５００の動作を制御する。マイクロプロセッサはデータバス５１２を介してユーザインタフェース５１０に、データバス５１６を介してデジタル信号プロセッサ（ＤＳＰ）５１４に、かつバス５２２を介してモデム（ＭＯＤＥＭ）５２０に接続されている。モデム５２０はデータバス５２４を介してＤＳＰ５１４に、かつアンテナ５２６に接続されている。モデム５２０は固定サイト５３０に送信されるべき信号を変調し、かつ固定サイト５３０から受信された信号を復調する。信号はアンテナ５２６および５３２を介してセルラ電話と固定サイトとの間で通信される。
【０００８】
スマートメモリカード４００はまた図６の公衆または有料電話（ｐａｙ  ｐｈｏｎｅ）６００のような、メモリカードに適合する装置とともに使用することもできる。該有料電話は陸線すなわち地上通信線（ｌａｎｄｌｉｎｅ）６１２に接続された送受信機６０４およびハンドセット６１６に関連するコード６１４を含む。前記送受信機はデータバス６０６を介してコントローラ６０２に接続されている。コントローラ６０２はまたデータバス６１０を介してポート６０８に接続されている。ポート６０８はスマートメモリカード４００のポート４１４への接続のためのものである。メモリカードが有料電話に図示されているが、メモリカードに適合する装置の用途はバンキング、映画、自動販売機および大量輸送のための交通機関を含む。
【０００９】
スマートメモリカード４００およびセルラ電話５００の相互接続は５つの導体７０１〜７０５（図７）を含む。導体７０１は電源の調整された電圧のレベルでありかつ導体７０２はグランドである。導体７０３はクロック入力であり、導体７０４はリセット入力であり、かつ導体７０５は双方向信号ラインである。スマートカード装置４０７のマイクロプロセッサはスマートカードの絶縁性の本体に埋め込まれた３つ導体７０７〜７０９を含む。これら３つの導体はメモリ装置４１１のためのクロック、リセット、およびＩ／Ｏ導体を提供する。該メモリ装置はまたメモリ装置ポート４１４に接続された５つの導体７１１〜７１５を含む。これらの導体はスマートカードに適合する装置のためのプロセッサと通信する電源導体７１１、グランド導体７１２、クロック導体７１３、リセット導体７１４、およびＩ／Ｏ導体７１５を含む。メモリカードと適合する装置とのオート４１４を介しての通信は、スマートカード装置が見えないように、伝統的なメモリカードのプロトコルに従って行われる。
【００１０】
ポート４０８（図５）を介しての通信につき説明する。スマートメモリカード４００が無線電話５００に挿入されたとき、該無線電話はブロック８００（図８）に示されるように初期化される。従って、加入者識別子（ｉｄｅｎｔｉｔｙ）が、ＧＳＭセルラ電話の場合のＧＳＭプロトコルのような、適切な仕様プロトコルに従って無線電話５００に通信される。プロセッサ４０２はＥＥＰＲＯＭ４０４に格納された識別子をプロセッサ５０６および４０２、およびポート４０８および５０４を介して固定サイト５３０に通信する。プロセッサ５０６はＩ／Ｏライン７０５（図７）をローになるよう制御し、それによってブロック８０１（図８）に示されるように入力モードを開始する。プロセッサ４０２（図７）は次にブロック８０２（図８）に示されるようにリセットライン７０８がローになるよう制御する。スマートカード装置は次にブロック８０４（図８）に示されるようにメモリ装置のプロトコルを使用して導体７０７〜７０９（図７）を介してメモリ装置と通信する。メモリ装置のプロトコルはスマートカード装置４０７（図７）のプロセッサに格納することができ、あるいはそれは無線電話５００のプロセッサ５０６に記憶しておくこともできる。プロセッサ５０６および４０２はいっしょに動作して呼の期間中にメモリ４１２における口座の差引勘定の借方に記入する（ｄｅｂｉｔ）。固定サイト５３０（図５）はプロセッサ５０６に料金レートを通信する。プロセッサは、ローミング料金、高いおよび低いレートの時間を含めて、その呼のコストに従って口座の残高を減少させる。スマートカード装置４０７に通信される情報はブロック８０８に示されるようにセルラ電話のプロセッサ５０６に通信される。
【００１１】
スマートメモリカード４００（図５）の挿入に応じて、ユーザはユーザインタフェース５１０における表示装置およびキーパッドを介してデビット呼（ｄｅｂｉｔ  ｃａｌｌ）またはアカウント呼（ａｃｃｏｕｎｔ  ｃａｌｌ）の間で選択を行うことができる。もしユーザがセルラの口座を持っていなければ、該カードはこのことを示しかつユーザに無線電話を使用できるようにする標準的なプロトコルを含み、かつユーザはメモリ装置の口座に課金する呼を生成することのみが許容される。
【００１２】
さらに、スマートメモリカード４００（図５）の所有者が利用可能なバンキングマシンがない場合にメモリ４１２に格納された口座残高を増大することを希望する場合、ユーザは無線電話５００を介して口座の残高を増大することができる。所有者のセルラ口座はデビットカードに加えられた増大した量に対し請求書が送られる（ｂｉｌｌｅｄ）。ユーザは次にスマートメモリカード４００に格納された新しい口座残高をメモリカードに適合する装置によって使用することができる。
【００１３】
メモリ４１２（図５）の容量はＥＥＰＲＯＭ４０４の容量より大きい。ＥＥＰＲＯＭを使用して構成することができる、メモリ４１２のより大きなサイズ（容量）により、無線電話５００にとって利用可能なユーザ情報の量を増大するために利用できるようになる。例えば、スマートメモリカードに記憶された電話ディレクトリはより多くの電話番号を含むようより長くすることができる。ＥＥＰＲＯＭ４０４およびメモリ４１２に記憶されたデータは無線電話を介してベースサイトから更新できる。メモリ４１２は固定サイト５３０からプログラムできる無線電話の特徴的機能の数を増大するために利用できる。スマートカードメモリ４１２は特徴的機能を作動させまたは不作動にするのに必要なコードを記憶する。特徴的機能が無線電話に加えられたときに該特徴的機能の料金がユーザの口座に請求されることになる。
【００１４】
スマートメモリカード９００が図９に示されている。該スマートメモリカードはデータバス９０６を介してメモリ９０４に結合されたプロセッサ９０２を含む。該プロセッサはまたデータバス９１０を介してポート９０８に接続されている。ポート９１４はデータバス９１６を介してメモリ９０４に接続されている。スマートメモリカード９００はスマートカードおよびメモリカードの双方に対して単一のメモリが使用される点でスマートメモリカード４００と異なっている。メモリ９０４はスマートカード装置の動作において使用するためにプロセッサ９０２によってのみアクセス可能なアドレスを含む。メモリ９０４はまたメモリカードおよびスマートカード装置の使用のためプロセッサ９０２によってかつポート９１４に接続された装置によってアクセス可能なアドレスを含む。
【００１５】
スマートメモリカード１０００が図１０に示されている。このスマートメモリカード１０００はデータバス１００６を介してメモリ１００４に接続されたプロセッサ１００２を含む。該プロセッサはデータバス１０１０を介してポート１００８に接続されている。プロセッサ１００２はメモリ１００４とともに動作してスマートカードに適合する装置がポート１００８に接続された場合にスマートカードの構成を提供する。さらに、前記プロセッサはポート１００８に接続されたメモリカード装置にとってトランスペアレント（透過的）であり、従ってメモリカード装置はあたかもそれが直接メモリ１００４に接続されているかのように動作することになる。
【００１６】
プロセッサ１００２はポート１００８に接続された装置のタイプを好適に検出することができる。プロセッサは同期データを探しかつこのデータに応答してメモリカード装置のための同期データを通信する。プロセッサはスマートメモリカードがそのような装置に接続された場合にはメモリ１００４からのデータに対して透明であるよう形成される。もしプロセッサ１００２が非同期データを検出すれば、該プロセッサは、セルラ電話のような、スマートカードに適合する装置のためのデータを通信する。このようにして、前記カードはポート１００８に結合されたスマートカードに適合する装置あるいはポート１００８に結合されたメモリカードに適合する装置のいずれかとともに動作する。
【００１７】
無線電話５００（図５）は伝統的なメモリカード（図３の３００のような）および伝統的なスマートカード（図１および図２の１００，２００のような）を順次受け入れて無線電話から有料呼（ｐａｙ  ｃａｌｌ）を生成するよう好適にプログラムすることもできる。これは図１〜図３、図５および図１１を参照して説明する。無線電話５００（図５）から有料呼を提供するためには、ユーザはまず伝統的なメモリカード（図３の３００のような）をブロック１１００（図１１）に示される、リセプタクル５０２に挿入し、それによってスマートカードのポート３０２が無線電話のポート５０４に接続されるようにする。プロセッサ５０６はポート５０４に接続された装置のタイプを決定する。該カードがメモリカードであることを判定した後、プロセッサ５０６は、１１０２に示されるように、メモリカードのメモリ（図３の３００）から口座の差引勘定（ａｃｃｏｕｎｔ  ｂａｌａｎｃｅ）情報をダウンロードする。メモリカードにおける該情報は、口座の差引勘定が無線電話５００に記憶されている間の詐欺的な再使用を防ぐために、このときゼロに低減することができる。ユーザは次にメモリカードを取り出しかつ伝統的なスマートカード（図１および図２の１００および２００のような）を、１１０４に示されるように、リセプタクル５０２に挿入する。プロセッサは無線電話５００を活動（ａｃｔｉｖｅ）通信状態におくためにスマートカードの存在の検出に応答する。ユーザが、ユーザインタフェース５１０を使用して、呼を生成したとき、無線電話は、ブロック１１０６に示されるように、スマートカード情報を使用して固定サイト５３０との接続を確立する。固定サイトは料金レートを無線電話のプロセッサ５０６に通信する。プロセッサ５０６は該料金レートに応答して呼の間における口座の借方に記入する。ユーザがその呼を終了したとき、ブロック１１０８に示されるように、スマートカードはリセプタクル５０２から除去される。メモリカードがリセプタクル５０２に挿入されたとき、該ユーザの口座の差引勘定または勘定残高はプロセッサ５０６からスマートカードにダウンロードされる。
【００１８】
プロセッサ５０６（図５）はそこに接続されたカードがスマートカードであるかメモリカードであるかを決定できることが好ましい。この決定を行うため、ブロック１２００（図１２）に示されるように同期データがプロセッサ５０６からプロセッサ５０２へと通信される。同期データの通信に続き、プロセッサ５０６は、ブロック１２０２に示されるように、応答を待つ。もし応答があれば、プロセッサ５０６は、ブロック１２０４に示されるように、メモリカードプロトコルを使用して第１のモードでメモリカードと通信する。もし判断ブロック１２０２において応答が検出されなければ、プロセッサは、ブロック１２０６に示されるように、非同期データを送信する。判断ブロック１２０８で判定されて、応答が受信されれば、プロセッサは、ブロック１２１０に示されるように、第２のモードでスマートカード装置のプロトコルに従って信号を送信する。ブロック１２０４および１２１０においていずれかのプロトコルが確立されたのに続き、プロセッサ５０６はブロック１２１２に示されるように接続されたカードと通信する。プロセッサ５０６がブロック１２１４において呼が終了したことを判定した場合、プロセッサはこのルーチンを終了する。もし判断ブロック１２０８において非同期データが応答を生じなければ、プロセッサはブロック１２００に戻る。
【００１９】
図１３は、本発明の別の実施形態に係わる、無線電話１３００内に含まれる情報カードチェンバ、またはリセプタクル、１３０４内への情報カード１３０２の挿入を示している。リセプタクル１３０４は後に非常に詳細に説明するように移行案内装置（ｔｒａｎｓｉｔｉｏｎａｌ  ｄｅｖｉｃｅｓ）および電気的コンタクトを含む少なくとも２つのプラットホーム１３０６および１３０８を有する。これら２つのプラットホーム１３０６，１３０８に加えて、第３のプラットホーム１３１０がリセプタクル１３０４の入口の反対側に配置されてそこに挿入された情報カードのための位置的なストッパを提供する。好ましい実施形態では、前記移行案内装置のために片持ちばね（ｃａｎｔｉｌｅｖｅｒｅｄ  ｓｐｒｉｎｇｓ）が選択された。しかしながら、傾斜した面およびねじりばねを含む、他の移行案内装置も同様に使用することができ、かつここに開示した本発明の範囲内にあるものと考えられる。
【００２０】
図１３は、情報カード１３０２が適切に挿入された場合のリセプタクル１３０４における該情報カード１３０２の位置を示す。挿入の間は、該カードは第１の片持ちばね１３１１を通り第２の片持ちばね１３１２へと移動する。第２の片持ちばね１３１２は情報カード１３０２を一組の電気的コンタクト１３１４に向けて移動させ、それによって情報カード１３０２がほんの少しのみのこすりつけ（ｗｉｐｉｎｇ）とともに電気的接点１３１４の頭部上に完全に乗り上げ、この場合前記こすりつけはコンタクト１３１４または情報カード１３０２上のコンタクト（図示せず）上の何らかの酸化物を除去するクリーニング機能を維持する。
【００２１】
前記第２の片持ちばね１３１２のばね定数（ｓｐｒｉｎｇ  ｃｏｎｓｔａｎｔ）は第１の片持ちばね１３１１のばね定数より大きくされ、それによって第２の片持ちばね１３１２が第１の片持ちばね１３１１の移動に打ち勝つようにされる。このばね定数の差によってＧＳＭ仕様によって要求される情報カード１３０２の接点と一組の電気的接点１３１４との間の適切な接触および圧力を得ることが可能になる。
【００２２】
第３の片持ちばね１３１３は任意選択的なものでありかつ第２の片持ちばね１３１２および前記一組の電気的接点１３１４によって生じる何らかのモーメントを除去するよう情報カード１３０２の第１の端部を移動させるために使用される。好ましい実施形態では、第３の片持ちばね１３１３のばね定数は第２の片持ちばね１３１２のものより小さくされる。
【００２３】
情報カード１３０２が図１３に示されるように適切に挿入されたとき、情報カード１３０２の電気的接点またはコンタクトは前記一組の電気的接点１３１４上に適切な量の圧力によって位置する。この電気的接続はメインプロセッサ５０６を情報カード１３０２に結合し、プロセッサ５０６によってデータが情報カード１３０２に書き込まれあるいは情報カード１３０２からデータを読み出すことができるようになる。カード１３０２はメモリカード３００（図３）であってもよく、あるいはスマートカード１００（図１）または２００（図２）であってもよい。接点１３１４に接続されたプロセッサ５０６は、図２を参照して上に説明したように、そこに接続されたカードの種別を決定できると好都合である。
【００２４】
リセプタクル１３０４は十分に大きくして、図１４に示されるように、第２の情報カード１４０２を受け入れることができるようにされる。第２の情報カードは第１の情報カード１３０２と並列に挿入される。完全に挿入されたとき、第２の片持ちばね１３１２は上方向に押圧される。コンタクト１４２４は情報カード１４０２上のコンタクト（図示せず）と短い距離のこすりつけ接触を提供する。コンタクト１４２４は信号バス１４２８の端子１４２６に接続されている。信号バス１４２８はメインプロセッサ５０６に接続されている。第２の片持ちばね１３１２は好ましくは第２のカードが挿入されたときにそれがカード１３０２のみに対して及ぼすものよりも小さな力をカード１４０２に対して及ぼす。さらに、コンタクト１４２４によって及ぼされる力と片持ちばね１３１２によって及ぼされる力を加えたものは、図１３に示されるように、カード１３０２のみに及ぼされる力と等しいことが好ましい。第２のカード１４０２はコンタクト１３１４によってカード１３０２に対して及ぼされるものと等しい力をコンタクト１４２４に対して及ぼすことが好ましい。従って、両方のコンタクトはカードと信頼性ある接触を行うための力を有している。
【００２５】
プロセッサ５０６はコンタクト１４２４、端子１４２６、およびバス１４２８を介して情報カード１４０２と通信する。プロセッサ５０６は好ましくは図１２を参照して前に説明した方法を使用してコンタクト１４２４に接続されたカードの種別を判定するための回路を含む。最も好ましくは、メインプロセッサは、どのカード種別のものがコンタクト１４２４および１３１４に接続されたかにかかわりなく、伝統的な構造のスマートカードおよびメモリカードと通信する。これらのカードの内の一方は伝統的なメモリカードでありかつ他方のカードは伝統的なスマートカードであることに注意を要する。電話呼の間に、メインプロセッサ５０６はスマートカードであるカード１３０２，１４０２の内の一方からＧＳＭ通信に必要な情報を受信し、かつメモリカードであるカード１３０２，１４０２の内の他方のものから口座情報を受信する。該口座情報はスマートメモリカードに関して上に述べたのと同様の方法で貸方に記入されかつ借方に記入される。従って、伝統的なスマートカードおよびメモリカードを新規な無線電話に挿入することにより無線電話から有料呼を生成することができる。セルラ電話はまたスマートカードに関して上に説明したような方法でユーザのセルラ口座の借方に記入することによって有料電話の口座残高を増大するために使用できる。
【００２６】
スマートカード１５００（図１５）はデータバス１５０６を介してＥＥＰＲＯＭ１５０４に接続されかつデータバス１５１０を介してポート１５０８に接続されたプロセッサ１５０２を含む。該スマートカードはさらにデータバス１５２２を介してプロセッサ１５０２に接続されたばね接点またはばねコンタクト１５２０を含む。該コンタクト１５２０はそれと並列に配置されたとき伝統的なメモリカード（３００のような）のポートに接触するよう構成される。
【００２７】
スマートカード１５００は、図１６に示されるように、セルラ電話１６００のみで使用することができる。リセプタクル１３０４における片持ちばね１３１１，１３１２および１３１３はスマートカード１５００に力を及ぼし、これはスマートカード１５００に関連する接点が、メインプロセッサ５０６と通信するために、コンタクト１３１４と信頼性ある接続を生成する。該スマートカードは伝統的な方法でスマートカードの運用を可能にするためにのみ使用される。
【００２８】
スマートカード１５００は、図１７に示されるように、メモリカードがそれと並列にまたは並置して挿入されたとき、メモリカード３００と組み合わせて使用される。第２のカードが図１７に示されるようにリセプタクル１６０４に挿入されたとき、ばねコンタクト１５２０はメモリカード３００上のコンタクトとこすりあわせコンタクトを生成する。これはコンタクト１５２０（図１５）、データバス１５２２、プロセッサ１５０２、データバス１５１０、およびポート１５０８を介してメモリカード３００およびセルラ電話のメインプロセッサの間で電気的接続を生じさせる。このようにして、スマートカード１５００は該スマートカード１５００およびセルラ電話の一組のコンタクト１３１４を通してメモリカード３００を使用しメモリカード呼を確立するために使用される。
【００２９】
本明細書には特に示されていないが、相互接続されていないスマートカード装置およびメモリカード装置を含むスマートカードメモリを提供できることも考えられる。該スマートカード装置およびメモリカード装置は独立に動作する。１つのリセプタクルに関連する２つのポートを含む、セルラ電話は該カードを受け入れかつスマートカード装置の情報およびメモリカード装置の情報を使用する有料呼を行うための必要に応じて両方のポートと通信することができる。
【００３０】
【発明の効果】
従って、セルラ電話においてデビットカードの使用を可能にする改善されたスマートカードが開示されたことが明らかである。さらに、前記スマートメモリカードはこれまで使用されたものよりさらに融通性がある。情報カードとともに使用されるより融通性のある装置もまた開示された。
【図面の簡単な説明】
【図１】  従来技術のスマートカードを示す概略的説明図である。
【図２】  他の従来技術のスマートカードを示す概略的説明図である。
【図３】  従来技術のメモリカードを示す概略的説明図である。
【図４】  本発明に係わるスマートメモリカードの概略的説明図である。
【図５】  セルラ電話に結合されたスマートメモリカードの概略的電気回路図である。
【図６】  有料電話に結合されたスマートメモリカードの概略的説明図である。
【図７】  相互接続されたセルラ電話およびスマートメモリカードを示す概略的回路図である。
【図８】  セルラ電話におけるスマートメモリカードの使用方法を示すフローチャートである。
【図９】  本発明の別の実施形態に係わるカードを示す概略的説明図である。
【図１０】  本発明のさらに他の実施形態に係わるスマートメモリカードを示す概略的説明図である。
【図１１】  セルラ電話においてメモリカードおよびスマートカードを順次動作させる方法を示すフローチャートである。
【図１２】  同期または非同期装置の検出方法を示すフローチャートである。
【図１３】  情報カードを受け入れるセルラ電話を示す概略的説明図である。
【図１４】  ２つの情報カードを受け入れるセルラ電話を示す概略的説明図である。
【図１５】  他のスマートメモリカードを示す概略的説明図である。
【図１６】  情報カードを受け入れる他のセルラ電話を示す概略的説明図である。
【図１７】  ２つの情報カードを受け入れるセルラ電話を示す概略的説明図である。
【符号の説明】
４００，９００，１０００  スマートメモリカード
４０２  プロセッサ
４０４  ＥＥＰＲＯＭ
４０６，４１０  データバス
４０８，４１４  ポート
４１２  メモリ
４１６  バス
５００  セルラ電話
５０２  リセプタクル
５０４  ポート
５０６  プロセッサ
５０８，５２２，５１２，５１６，５２４  バス
５１０  ユーザインタフェース
５１４  デジタル信号プロセッサ（ＤＳＰ）
５２０  モデム
５２６，５３２  アンテナ
５３０  固定サイト
【図１】
0003817293.tif 000002
【図２】
0003817293.tif 000003
【図３】
0003817293.tif 000004
【図４】
0003817293.tif 000005
【図５】
0003817293.tif 000006
【図６】
0003817293.tif 000007
【図７】
0003817293.tif 000008
【図８】
0003817293.tif 000009
【図９】
0003817293.tif 000010
【図１０】
0003817293.tif 000011
【図１１】
0003817293.tif 000012
【図１２】
0003817293.tif 000013
【図１３】
0003817293.tif 000014
【図１４】
0003817293.tif 000015
【図１５】
0003817293.tif 000016
【図１６】
0003817293.tif 000017
【図１７】
0003817293.tif 000018